(57)【要約】【課題】凝縮器の熱を有効活用するようにした冷房装置付きトイレ装置を提供することを目的とする。【解決手段】冷房装置の凝縮器４の熱により浴槽１３への供給水を昇温したものである。これにより、凝縮器４の熱を有効活用し、浴槽１３の湯として使用するもので、資源、省エネルギーが達成できる。【選択図】  図２
2005009233.tif 000002
【特許請求の範囲】
【請求項１】
冷房装置の凝縮器の熱により浴槽への供給水を昇温した冷房装置付きトイレ装置。
【請求項２】
凝縮器と熱的に結合した供給水の管路を設け、この管路内の流量を可変する構成とした請求項１に記載の冷房装置付きトイレ装置。
【請求項３】
凝縮器の熱をロータンクの水に放熱する手段を設けた請求項１または２に記載の冷房装置付きトイレ装置。
【発明の詳細な説明】
【０００１】
【発明の属する技術分野】
本発明は、冷房機能を備えたトイレ装置に関するものである。
【０００２】
【従来の技術】
従来、この種の冷房機能を備えてトイレ部屋内を冷房するトイレ装置はすでに知られている（例えば、特許文献１参照）。
【０００３】
これは、冷房装置を構成する凝縮器で発生する凝縮熱は、トイレ装置のロータンク内の水に放熱するものであった。そして、長時間冷凍サイクルが運転されるとロータンク内の水温度が上昇し、凝縮器での熱交換効率が落ちるため、ロータンク内の水を一定時間毎に排水し、新たな冷水を供給し熱交換率を維持するものであった。
【０００４】
【特許文献１】
特開２０００−９６６６３号公報
【０００５】
【発明が解決しようとする課題】
しかしながら、前記従来の冷房装置付きトイレ装置は、凝縮器での熱交換効率を維持するために、ロータンク内の加熱された有益な湯を無駄に捨てており、資源の有効活用の面で課題があった。
【０００６】
本発明は、前記従来の課題を解決するもので、凝縮器の熱を有効活用するようにした冷房装置付きトイレ装置を提供することを目的とする。
【０００７】
【課題を解決するための手段】
前記目的を達成するために、本発明の冷房装置付きトイレ装置は、冷房装置の凝縮器の熱により浴槽への供給水を昇温したものである。
【０００８】
これにより、凝縮器の熱を有効活用し、浴槽の湯として使用するもので、資源、省エネルギーが達成できる。
【０００９】
【発明の実施の形態】
請求項１に記載の発明は、冷房装置の凝縮器の熱により浴槽への供給水を昇温した冷房装置付きトイレ装置とすることにより、凝縮器の熱を有効活用し、浴槽の湯として使用するもので、資源、省エネルギーが達成できる。
【００１０】
請求項２に記載の発明は、凝縮器と熱的に結合した供給水の管路を設け、この管路内の流量を可変する構成とした請求項１に記載の冷房装置付きトイレ装置とすることにより、流量可変で常に入浴に適した湯温の湯が得られ、追い炊きの必要がなく更に省エネルギーが図れる。
【００１１】
請求項３に記載の発明は、凝縮器の熱をロータンクの水に放熱する手段を設けた請求項１または２に記載の冷房装置付きトイレ装置凝縮器とすることにより、浴槽に湯の供給が不要な場合でも、ロータンク内の水により凝縮器の熱が放熱されるので、冷凍サイクルが成立し装置の運転が停止することがない。
【００１２】
【実施例】
以下、本発明の実施例について図面を用いて説明する。
【００１３】
図１において、１はトイレ装置のケースで、その中に、便器洗浄を行うための洗浄水を貯水するロータンク２と、冷房装置として圧縮機３、凝縮器４、減圧手段５、蒸発器６、送風機７が内蔵されている。ケース１には、冷風の吹出口８が開口している。９は便器である。
【００１４】
図２において、１０は矢印で示した供給水（水道水）の流量を可変する流量可変弁、１１は凝縮器４と熱的に結合している第１吸熱部、１２ａ、１２ｂ、１２ｃは配管であり、流量可変弁１０と第１吸熱部１１を連結している、１３は浴槽、１４は浴槽１３内に貯湯された湯、１５は配管１２ｃの端部である給湯口、１６は給湯口１５から給湯される湯の温度を感知する湯温センサー、１７は凝縮器４と熱的に結合している第２吸熱部である。１８は第２吸熱部１７で昇温された熱媒を循環させるためのポンプ、１９は第２吸熱部１７で吸熱した熱をロータンク２内の水に熱交換するための放熱部である。なお、第２吸熱部１７と、ポンプ１８と、放熱部１９は、配管により閉回路が形成されており、この閉回路には、熱媒、例えば、エチレングリコール等がポンプ１８により循環している。
【００１５】
次に動作、作用について説明する。
【００１６】
圧縮機３によって圧縮された冷媒は高温高圧の気体となり、凝縮器４に送り込まれる。凝縮器４では冷媒は凝縮熱を放熱して高圧のまま凝縮し液体となる。その後、冷媒は減圧手段５によって減圧され、蒸発器６によって蒸発気化する。この時、蒸発器６には送風機７によって風が通り、風は気化熱により冷やされた後に吹出口８から吹き出る。蒸発気化した冷媒は再び圧縮機３に戻って圧縮され、これを繰り返して冷凍サイクルが形成される。この様にして、トイレ装置から冷風を出し、冷房を行うことができ、ルームエアコンの室外機のような熱気を出すこともなく、また、冷風発生と凝縮熱の放熱がトイレ装置のケース１内に収まり、コンパクトな冷房装置付きトイレ装置を構成することができる。
【００１７】
ここで、凝縮器４の凝縮熱により、流量可変弁１０を通過して第１吸熱部１１に到達した水道水が温められ、給湯口１５より浴槽１３に貯湯される。湯温センサー１６は給湯口１５より給湯される湯温を監視しており、湯温がコントローラ（図示せず）で設定された温度より低ければ、流量可変弁１０が動作して流量を少なくなるように調整し、給湯口１５より給湯される湯温を設定された温度になるように動作する。逆に、給湯される湯温が高ければ、流量可変弁１０が動作して流量を多くなるように調整し、給湯口１５より給湯される湯温を設定された温度になるように動作する。このようにして、浴槽１３に入浴に適した温度の湯１４が貯湯されるため、湯温が低くて追い炊きをする必要がなく、入浴に使用できることで更に省エネルギーが図れる。
【００１８】
次に、浴槽１３に湯１４を貯湯する必要が無い場合は、ポンプ１８を運転することにより、凝縮器４の凝縮熱で第２吸熱部１７中の温度上昇した熱媒を循環させることで、放熱部１９で温度の高い熱媒とロータンク２内の水を熱交換することにより、凝縮器４の凝縮熱を放熱できる。このような構成にしたので、浴槽１３内に湯１４を貯湯する必要が無い場合でも、冷凍サイクルが成立し冷房装置付きトイレ装置の冷房機能が達成できる。
【００１９】
そして、冷房装置付きトイレ装置の設置されるトイレも浴槽のある浴室も水周りの設備なので、屋内の中で隣接してほとんど位置しており（ユニットバスは同じ室内にある）、冷房装置付きトイレ装置の凝縮熱で浴槽内に供給される水を温める構成は、屋内のそれぞれの位置関係を考慮した場合、無理のない合理的な組み合わせである。
【００２０】
【発明の効果】
以上のように、本発明の冷房装置付きトイレ装置によれば、凝縮器の熱を有効活用し、浴槽の湯として使用するもので、資源、省エネルギーが達成できるものである。
【図面の簡単な説明】
【図１】本発明の実施例における冷房装置付きトイレ装置を一部破断して示した斜視図
【図２】同冷房装置付きトイレ装置における冷凍サイクルと浴槽との関係を示す構成図
【符号の説明】
２  ロータンク
４  凝縮器
１１  第１吸熱部
１２ａ、１２ｂ、１２ｃ  配管
１３  浴槽
１７  第２吸熱部
１９  放熱部
【図１】
2005009233.tif 000003
【図２】
2005009233.tif 000004